【手続補正書】
【提出日】平成29年1月30日(2017.1.30)
【手続補正１】
【補正対象書類名】明細書
【補正対象項目名】０００８
【補正方法】変更
【補正の内容】
【０００８】
本発明に係るグラフ表示制御装置は、記憶部に記憶された第１の関数式に対応する第１のグラフを表示部に表示させる第１グラフ表示制御手段と、前記第１グラフ表示制御手段により表示された第１のグラフ上の何れかの点をユーザ操作に応じて指定するグラフ点指定手段と、前記グラフ点指定手段により指定された前記第１のグラフ上の複数の点にそれぞれ対応する座標での当該第１のグラフとの接線の傾きの値を取得する傾き取得手段と、前記取得された第１のグラフとの接線の傾きの値を前記座標の一方の値に置き換えた座標を複数登録する傾き置換座標登録手段と、前記傾き置換座標登録手段により登録された複数の座標に対応した第２の関数式を算出する第２関数式算出手段と、前記算出された前記第２の関数式に対応する第２のグラフを前記表示部に表示させる第２グラフ表示制御手段と、を備えたことを特徴としている。
【手続補正２】
【補正対象書類名】特許請求の範囲
【補正対象項目名】全文
【補正方法】変更
【補正の内容】
【特許請求の範囲】
【請求項１】
記憶部に記憶された第１の関数式に対応する第１のグラフを表示部に表示させる第１グラフ表示制御手段と、
前記第１グラフ表示制御手段により表示された第１のグラフ上の何れかの点をユーザ操作に応じて指定するグラフ点指定手段と、
前記グラフ点指定手段により指定された前記第１のグラフ上の複数の点にそれぞれ対応する座標での当該第１のグラフとの接線の傾きの値を取得する傾き取得手段と、
前記取得された第１のグラフとの接線の傾きの値を前記座標の一方の値に置き換えた座標を複数登録する傾き置換座標登録手段と、
前記傾き置換座標登録手段により登録された複数の座標に対応した第２の関数式を算出する第２関数式算出手段と、
前記算出された前記第２の関数式に対応する第２のグラフを前記表示部に表示させる第２グラフ表示制御手段と、
を備えたことを特徴とするグラフ表示制御装置。
【請求項２】
前記第２の関数式は、前記第１の関数式の微分関数式であることを特徴とする請求項１に記載のグラフ表示制御装置。
【請求項３】
前記第２関数式算出手段は、前記傾き置換座標登録手段により登録された複数の座標を回帰計算して、当該複数の座標に対応した回帰関数式を第２の関数式として取得し、
前記傾き置換座標登録手段により登録された複数の座標を前記第２のグラフを表示させた座標系上にプロットする傾き座標プロット手段を、
を備えたことを特徴とする請求項１又は２記載のグラフ表示制御装置。
【請求項４】
前記傾き座標プロット手段によりプロットされた複数の座標に応じてユーザにより推定されるグラフに対応した推定関数式を入力する推定式入力手段と、
前記推定式入力手段により入力された推定関数式に対応する推定グラフを前記第２グラフ表示制御手段により表示された前記第２のグラフと併せて表示させる推定グラフ表示制御手段と、
を備えたことを特徴とする請求項３に記載のグラフ表示制御装置。
【請求項５】
前記第２の関数式と前記推定関数式とを前記表示部に異なる表示形態で識別表示させる式識別表示制御手段を有し、
前記第２グラフ表示制御手段は、前記第２のグラフを前記式識別表示制御手段により表示された前記第２の関数式と同じ表示形態で識別表示させ、
前記推定グラフ表示制御手段は、前記推定グラフを前記式識別表示制御手段により識別表示された推定関数式と同じ表示形態で識別表示させる、
ことを特徴とする請求項４に記載のグラフ表示制御装置。
【請求項６】
前記第２関数式算出手段は、
複数種類の回帰関数式の中からユーザ操作に応じて任意の回帰関数式を選択する回帰式選択手段を有し、
前記回帰式選択手段により選択された回帰関数式を前記傾き座標プロット手段によりプロットされた複数の座標に基づき回帰計算する、
ことを特徴とする請求項３ないし請求項５の何れか１項に記載のグラフ表示制御装置。
【請求項７】
前記傾き置換座標登録手段により登録された複数の座標が４点未満であるかを判断するプロット点判断手段と、
前記第２関数式算出手段により前記第２の関数式を算出する際に、前記プロット点判断手段により前記登録された複数の座標が４点未満であると判断された場合はエラーメッセージを表示させる算出不可メッセージ表示手段と、
を備えたことを特徴とする請求項１ないし請求項６の何れか１項に記載のグラフ表示制御装置。
【請求項８】
前記傾き置換座標登録手段により登録された複数の座標が４点未満であるかを判断するプロット点判断手段と、
前記推定式入力手段により前記傾き座標プロット手段によりプロットされた複数の座標に応じてユーザにより推定されるグラフに対応した推定関数式を入力する際に、前記プロット点判断手段により前記傾き座標プロット手段によりプロットされた複数の座標が４点未満であると判断された場合はエラーメッセージを表示させる推定不可メッセージ表示手段と、
を備えたことを特徴とする請求項４に記載のグラフ表示制御装置。
【請求項９】
前記推定式入力手段により入力された推定関数式は、係数を含む関数式であって、
前記推定関数式に含まれる係数の値をユーザ操作に応じて変化させて設定する操作表示体を前記表示部に表示させる操作表示体表示手段を備え、
前記推定グラフ表示制御手段は、前記推定式入力手段により入力された推定関数式に含まれる係数に前記操作表示体により設定された値を代入し、前記係数の値を代入した前記推定関数式に対応するグラフを前記表示された前記第２のグラフと併せて表示させる、
ことを特徴とする請求項４に記載のグラフ表示制御装置。
【請求項１０】
表示部を備えた電子機器のコンピュータを制御するための方法であって、
記憶部に記憶された第１の関数式に対応する第１のグラフを表示部に表示させる第１グラフ表示制御ステップと、
前記第１グラフ表示制御ステップにより表示された第１のグラフ上の何れかの点をユーザ操作に応じて指定するグラフ点指定ステップと、
前記グラフ点指定ステップにより指定された前記第１のグラフ上の複数の点にそれぞれ対応する座標での当該第１のグラフとの接線の傾きの値を取得する傾き取得ステップと、
前記取得された第１のグラフとの接線の傾きの値を前記座標の一方の値に置き換えた座標を複数登録する傾き置換座標登録ステップと、
前記傾き置換座標登録ステップにより登録された複数の座標に対応した第２の関数式を算出する第２関数式算出ステップと、
前記算出された前記第２の関数式に対応する第２のグラフを前記表示部に表示させる第２グラフ表示制御ステップと、
からなるグラフ表示制御方法。
【請求項１１】
表示部を備えた電子機器のコンピュータを制御するためのプログラムであって、
前記コンピュータを、
記憶部に記憶された第１の関数式に対応する第１のグラフを表示部に表示させる第１グラフ表示制御手段、
前記第１グラフ表示制御手段により表示された第１のグラフ上の何れかの点をユーザ操作に応じて指定するグラフ点指定手段、
前記グラフ点指定手段により指定された前記第１のグラフ上の複数の点にそれぞれ対応する座標での当該第１のグラフとの接線の傾きの値を取得する傾き取得手段、
前記取得された第１のグラフとの接線の傾きの値を前記座標の一方の値に置き換えた座標を複数登録する傾き置換座標登録手段、
前記傾き置換座標登録手段により登録された複数の座標に対応した第２の関数式を算出する第２関数式算出手段、
前記算出された前記第２の関数式に対応する第２のグラフを前記表示部に表示させる第２グラフ表示制御手段、
として機能させるためのコンピュータ読み込み可能なプログラム。